(57)【特許請求の範囲】
【請求項１】
引掛シーリング、引掛ローゼット等の１対の引掛穴を設けた天井配線器具の前記１対の引掛穴に、１対の引掛爪を引掛けて電気接続できるようにした角型の引掛シーリングキャップを形成するものであって、前記１対の引掛爪のいずれか一方の引掛爪の近くにロック棒を設けて、前記１対の引掛爪を前記天井配線器具の前記１対の引掛穴に引掛けたときに、前記１対の引掛穴のいずれかの引掛穴に前記ロック棒を突出して前記１対の引掛爪が回動できないようにロックし、前記ロック棒と連動する押し片を手押しすることにより前記ロック棒を没入して前記引掛爪に対するロックを解除するロック装置を設けたものと、前記引掛シーリングキャップを形成するものの底壁のコード通し穴を除いて、前記底壁のコード通し穴の外周に上端を結合すると共に前記底壁のコード通し穴と連通したコード通し内穴を設けた第１内筒とからなる第１一体成形物と、前部を前記第１内筒に外嵌してねじ止めにより前記第１内筒と固着できるようにし、後部を後記第２内筒に外嵌してねじ止めにより後記第２内筒と固着できるようにすると共に、コード通し内穴を設けた外筒と、前記外筒の後部に内嵌して前記外筒からのねじ止めにより固着できるようにしたコード通し内穴を設けた第２内筒と、前記第２内筒のコード通し内穴と連通したコード通し穴を設けて前記第２内筒の下端と結合した肉盛りされた蓋状物であって、後記引掛シーリングの開口部を前記コード通し穴に連通する穴部と後記引掛シーリングの１対のねじ挿入孔に連通する孔部を除いて閉口できるようにしたものとからなる第２一体成形物と、前記蓋状物の裏面に前記１対のねじ挿入孔を介して螺入したねじにより閉口可能に固着できるようにした引掛シーリングと、前記引掛シーリングキャップを形成するものから前記引掛シーリングまで電気接続するコードとを備えて、前記第１一体成形物、前記外筒、前記第２一体成形物、前記引掛シーリング及び前記コードとからなる連結物を形成し、床上に立って前記連結物の下端を手で握って上げ、前記天井配線器具の１対の引掛穴に前記連結物の上端の１対の引掛爪を引掛けたのち、前記連結物の下端に、天井直付け用のシーリングライトを引掛けることにより、天井直付け用のシーリングライトを天井吊り下げのペンダントライトとして使用できるようにし、前記押し片を手押しすることにより前記連結物の上端の引掛爪を前記天井配線器具から取りはずすことができるようにしたことを特徴としたシーリングライトをペンダントライトとして使用するための器具。
【請求項２】
前記第２一体成形物の蓋状物が、前記引掛シーリングのうち角形の引掛シーリングの開口部に合致した下面を設けると共に、上部が肉盛りされて前記第２内筒下部と結合し、内部に前記引掛シーリングの１対のねじ挿入孔に連通するねじ孔を設けてねじの螺入により前記蓋状物と前記引掛シーリングとを固着できるように形成したものからなる請求項１記載のシーリングライトをペンダントライトとして使用するための器具。
【請求項３】
前記第２一体成形物の蓋状物が、前記引掛シーリングのうち丸形の引掛シーリングの開口部に合致した下面を設けると共に、上部が肉盛りされて前記第２内筒下部と結合し、内部に前記引掛シーリングの１対のねじ挿入孔に連通するねじ孔を設けてねじの螺入により前記蓋状物と前記引掛シーリングとを固着できるように形成したものからなる請求項１記載のシーリングライトをペンダントライトとして使用するための器具。
【請求項４】
前記第２一体成形物の蓋状物が、前記引掛シーリングのうち丸形の引掛シーリングの開口部に合致した円板状の下面を設けたフランジ状のものからなり、上端が、前記第２内筒下部と結合し、前記引掛シーリングの１対のねじ挿入孔に連通するねじ孔を設けてねじの螺入により前記蓋状物と前記引掛シーリングとを固着できるように形成したものからなる請求項１記載のシーリングライトをペンダントライトとして使用するための器具。
【発明の詳細な説明】
【技術分野】
【０００１】
本発明は、天井直付け用の照明器具として使用されているシーリングライトを天井吊り下げペンダントライトに使用するための器具に関する。
【背景技術】
【０００２】
ＬＥＤ（Light Emitting Diode）を使用した天井直付けのシーリングライトは、機能の向上が著しく、軽量化されて、節電できると共に、かなりの便利さを消費者に与えている。しかし、天井直付け方式のため、部屋対応の定格光束だけでは、使用様態（例えば読書、製図等）によって使用者は明るさが不足する場合があり、また、高齢者、女性、身体障害者等では、シーリングライトの天井への取付け、交換等はかなりの負担が伴った。
そこで、本発明者は、、天井直付け用のシーリングライトを誰でも天井に吊す作業が安全にできる天井吊り下げのペンダントライトとして迅速に使用でき、室内の明るさと節電をさらに向上させることができるようにした、天井直付け用のシーリングライトを天井吊り下げのペンダントライトに使用するための器具を開発することに成功した。
【先行技術文献】
【特許文献】
【０００３】
【特許文献１】実用新案登録第３０６７０６１号公報
【発明の概要】
【発明が解決しようとする課題】
【０００４】
本発明は、天井直付け用のシーリングライトを天井吊り下げペンダントライトとして使用して明るい照明と節電ができるようにした、シーリングライトをペンダントライトに使用するための器具を提供するものである。
また、本発明は、床上に立って器具下端を手で握って上げれば、天井に設置されている配線器具に、器具上端を安全に引掛けることができ、器具下端に迅速容易に天井直付け用のシーリングライトを天井吊り下げペンダントライトとして取り付け、交換等ができるようにした、シーリングライトをペンダントライトに使用するための器具を提供するものである。
さらに、本発明は、構造簡単で極めて安価に製作できる、シーリングライトをペンダントライトに使用するための器具を提供するものである。
【課題を解決するための手段】
【０００５】
本発明のシーリングライトをペンダントライトに使用するための器具は、上記課題を達成するため、図示するように、請求項１の発明は、引掛シーリング、引掛ローゼット等の１対の引掛穴を設けた天井配線器具の前記１対の引掛穴に、１対の引掛爪を引掛けて電気接続できるようにした角型の引掛シーリングキャップを形成するものであって、前記１対の引掛爪のいずれか一方の引掛爪の近くにロック棒を設けて、前記１対の引掛爪を前記天井配線器具の前記１対の引掛穴に引掛けたときに、前記１対の引掛穴のいずれかの引掛穴に前記ロック棒を突出して前記１対の引掛爪が回動できないようにロックし、前記ロック棒と連動する押し片を手押しすることにより前記ロック棒を没入して前記引掛爪に対するロックを解除するロック装置を設けたものと、前記引掛シーリングキャップを形成するものの底壁のコード通し穴を除いて、前記底壁のコード通し穴の外周に上端を結合すると共に前記底壁のコード通し穴と連通したコード通し内穴を設けた第１内筒とからなる第１一体成形物と、前部を前記第１内筒に外嵌してねじ止めにより前記第１内筒と固着できるようにし、後部を後記第２内筒に外嵌してねじ止めにより後記第２内筒と固着できるようにすると共に、コード通し内穴を設けた外筒と、前記外筒の後部に内嵌して前記外筒からのねじ止めにより固着できるようにしたコード通し内穴を設けた第２内筒と、前記第２内筒のコード通し内穴と連通したコード通し穴を設けて前記第２内筒の下端と結合した肉盛りされた蓋状物であって、後記引掛シーリングの開口部を前記コード通し穴に連通する穴部と後記引掛シーリングの１対のねじ挿入孔に連通する孔部を除いて閉口できるようにしたものとからなる第２一体成形物と、前記蓋状物の裏面に前記１対のねじ挿入孔を介して螺入したねじにより閉口可能に固着できるようにした引掛シーリングと、前記引掛シーリングキャップを形成するものから前記引掛シーリングまで電気接続するコードとを備えて、前記第１一体成形物、前記外筒、前記第２一体成形物、前記引掛シーリング及び前記コードとからなる連結物を形成し、床上に立って前記連結物の下端を手で握って上げ、前記天井配線器具の１対の引掛穴に前記連結物の上端の１対の引掛爪を引掛けたのち、前記連結物の下端に、天井直付け用のシーリングライトを引掛けることにより、天井直付け用のシーリングライトを天井吊り下げペンダントライトとして使用できるようにし、前記押し片を手押しすることにより前記連結物の上端の引掛爪を前記天井配線器具から取りはずすことができるようにしたものである。
また、本発明のシーリングライトをペンダントライトに使用するための器具は、上記課題を達成するため、図示するように、請求項２の発明は、請求項１の発明において、前記第２一体成形物の蓋状物が、前記引掛シーリングのうち角形の引掛シーリングの開口部に合致した下面を設けると共に、上部が肉盛りされて前記第２内筒下部と結合し、内部に前記引掛シーリングの１対のねじ挿入孔に連通するねじ孔を設けてねじの螺入により前記蓋状物と前記引掛シーリングとを固着できるように形成したものである。
また、本発明のシーリングライトをペンダントライトに使用するための器具は、上記課題を達成するため、図示するように、請求項３の発明は、請求項１の発明において、前記第２一体成形物の蓋状物が、前記引掛シーリングのうち丸形の引掛シーリングの開口部に合致した下面を設けると共に、上部が肉盛りされて前記第２内筒下部と結合し、内部に前記引掛シーリングの１対のねじ挿入孔に連通するねじ孔を設けてねじの螺入により前記蓋状物と前記引掛シーリングとを固着できるように形成したものである。
さらに、本発明のシーリングライトをペンダントライトに使用するための器具は、上記課題を達成するため、図示するように、請求項４の発明は、請求項１の発明において、前記第２一体成形物の蓋状物が、前記引掛シーリングのうち丸形の引掛シーリングの開口部に合致した円板状の下面を設けたフランジ状のものからなり、上端が、前記第２内筒下部と結合し、前記引掛シーリングの１対のねじ挿入孔に連通するねじ孔を設けてねじの螺入により前記蓋状物と前記引掛シーリングとを固着できるように形成したものである。
長柄の外筒には、合成樹脂製、金属製等が使用される。
【発明の効果】
【０００６】
本発明器具は、上端に引掛シーリングキャップを形成するものを取りつけ、下端に市販の引掛けシーリングを取りつけた長手の外筒があるので、床上に立って、本発明器具の下端を手で握って上げれば、天井に設置されている天井配線器具に、安全かつ容易に、本発明器具上端を引掛けて電気接続でき、次いで、本発明器具の下端の市販の引掛けシーリングに、市販の天井直付け用のシーリングライトのアダプタの１対の引掛爪を引掛けて電気接続すれば、天井直付け用のシーリングライトを天井吊り下げペンダントライトとして迅速に使用することができる。本発明は、定格光束の市販の天井直付け用のシーリングライトを天井吊り下げペンダントライトとして使用できるので、明るく照明できると共に節電でき、また、従来のペンダントライトに比べてスマートな外観が加わる。また、従来のペンダントライトに比べて防塵性、防虫性が大きい。さらに、本発明は、製作簡単で安価につき、今後、シーリングライト形のペンダントライトの発展に寄与できる。
【図面の簡単な説明】
【０００７】
【図１−１】本発明の実施例を正面図的に示した全体概略説明図である。
【図１−２】図１−１を平面図的にみた概略説明図である。
【図１−３】図１−１をＸ−Ｘ切断線から底面図的にみた概略説明図である。
【図１−４】図１−１を底面図的にみた概略説明図である。
【図１−５】図１−１の使用状態図である。
【図２−１】本発明の別の実施例を正面図的にみた全体概略説明図である。
【図２−２】図２−１を平面図的にみた概略説明図である。
【図２−３】図２−１をＹ−Ｙ切断線から底面図的にみた概略説明図である。
【図２−４】図２−１の底面図的にみた概略説明図である。
【図３−１】本発明のさらに別の実施例を正面図的にみた全体概略説明図である。
【図３−２】図３−１を平面図的にみた概略説明図である。
【図３−３】図３−１をＺ−Ｚ切断線から底面図的にみた概略説明図である。
【図３−４】図３−１を底面図的にみた概略説明図である。
【発明を実施するための形態】
【０００８】
本発明の実施形態が実施例１、実施例２及び実施例３に記載される。
【実施例１】
【０００９】
本発明のシーリングライトをペンダントライトに使用するための器具（以下、単に本発明器具という。）の実施例１が、図１−１、図１−２、図１−３、図１−４及び図１−５に示されている。
各図では、公知の配線の図示が省略されている。
図１−１乃至図１−５の本発明器具は、引掛シーリングキャップを形成するもの１０と前記引掛シーリングキャップを形成するもの１０の底壁１２に結合した第１内筒５１とからなる第１一体成形物５０と、第１一体成形物５０の第１内筒５１に外嵌してねじ３１１により止着した外筒３０と、外筒３０の下部に内接してねじ３１２により止着する第２内筒６１と第２内筒６１下端に結合した肉盛りされた蓋状物６２とからなる第２一体成形物６０と、蓋状物６２の下端にねじ６２１により固着した引掛シーリング２０と、引掛シーリングキャップを形成するもの１０から引掛シーリング２０まで電気接続するコード（図示しない）とを備えている。
引掛シーリングキャップを形成するもの１０は、引掛シーリング、引掛ローゼット等の１対の引掛穴を設けた天井配線器具７０の１対の引掛穴（図示しない）に、１対の引掛爪１０１を引掛て電気接続できるようにした角型のものであって、１対の引掛爪１０１のいずれか一方の引掛爪１０１の近くにロック棒１４を設けて、１対の引掛爪１０１を天井８０の配線器具７０の１対の引掛穴（図示しない）に引掛けたときに、１対の引掛穴のいずれかの引掛穴にロック棒１４を突出して１対の引掛爪１０１が回動できないようにロックし、ロック棒１４と連動する押し片１５を手押しすることによりロック棒１４を没入して１対の引掛爪１０１に対するロックを解除するロック装置を設けたものである。
なお、引掛シーリングキャップを形成するもの１０は、図１−２に示すように、１０２は、引掛爪１０１を立設した爪板で、１０２１は、底壁１２に設けた台座（図示しない）に固着できるようにしたねじで、１０２２は、コード引出線（図示しない）を止着できるようにしたねじで、１１１、１１２、１１３及び１１４は各側壁で、１２は底壁、１３はコード通し穴である。
第１一体成形物５０は、引掛シーリングキャップを形成するもの１０と第１内筒５１とからなり、引掛シーリングキャップを形成するもの１０のコード通し穴１３と連通するコード通し穴５１１を設けている。第１内筒５１は、上端を引掛シーリングキャップを形成するもの１０の底壁１２に結合してコード通し穴１３に連通するコード通しの内穴５１１を設けると共に、外嵌できるようにした外筒３０の前部からねじ３１１により外筒３０に取りはずし可能に固着している。
外筒３０は、コード通しの内穴３１を設け、前部を第１一体成形物５０の第１内筒５１に外嵌してねじ３１１により取りはずし可能に固着できるようにすると共に、後部を後記第２一体成形物６０の第２内筒６１に外嵌してねじ３１２により取りはずし可能に固着している。
第２一体成形物６０は、第２内筒６１と蓋状物６２とからなり、第２内筒６１は、コード通し内穴６１１を設けると共に、蓋状物６２に結合している。
蓋状物６２は、肉盛りされて、後記引掛シーリング２０の１対のねじ挿入孔２３に挿入されるねじ６２１が螺着できるねじ孔６２０とコード通し穴６３０を設けている。６３は、Ｘ−Ｘ切断線からみた底面で、引掛シーリング２０の上面の開口部２１をねじ孔６２０とコード通し穴６３０を除いて閉口できるように形成されている。
引掛シーリング２０は、公知の市販品で、上面の開口部２１に、１対のコード挿入部（図示しない）と１対のねじ挿入孔２３を設け、底面２２に、図１−４に示すように、各ねじ６２１を挿入する１対のねじ挿入孔２３と１対の引掛穴２５とを設けている。
引掛シーリングキャップを形成するもの１０から引掛シーリング２０まで電気接続するコードは、引掛シーリングキャップを形成するもの１０から、底壁１２のコード通し穴１３、第１内筒５１の内穴５１１、外筒３０の内穴３１、第２内筒６１の内穴６１１、及び、蓋状物６２のコード通し穴６３０を介して電気接続される。
従って、本発明器具は、第１一体成形物５０、外筒３０、第２一体成形物６０、引掛シーリング２０、コードとから連結物１が形成されるので、床上に立って、連結物１の下端を手で握って上げ、天井配線器具７０の１対の引掛穴に、連結物１の上端の１対の引掛爪１０１を引掛けたのち、連結物１の下端に、天井直付け用のシーリングライト９０を引掛けることにより、天井直付け用のシーリングライト９０を天井吊り下げのペンダントライトとして使用でき、押し片１５を手押しすることにより、連結物１の上端の引掛爪１０１を天井配線器具７０から取りはずすことができる。
【実施例２】
【００１０】
本発明器具の実施例２が、図２−１、図２−２、図２−３及び図２−４に示される。
各図では、公知の配線の図示が省略されている。
図２−１乃至図２−４の本発明器具は、引掛シーリングキャップを形成するもの１０と前記引掛シーリングキャップを形成するもの１０の底壁１２に結合した第１内筒５１とからなる第１一体成形物５０と、第１一体成形物５０の第１内筒５１に外嵌してねじ３１１により止着した外筒３０と、外筒３０の下部に内接してねじ３１２により止着する第２内筒６１（２）と第２内筒６１（２）下端に結合した肉盛りされた蓋状物６２（２）とからなる第２一体成形物６０（２）と、蓋状物６２（２）の下端にねじ６２１（２）により固着した引掛シーリング２０（２）と、引掛シーリングキャップを形成するもの１０から引掛シーリング２０（２）まで電気接続するコード（図示しない）とを備えている。
引掛シーリングキャップを形成するもの１０は、実施例１の引掛シーリングキャップを形成するもの１０と同一のものであるので、詳細説明は省略する。
第１一体成形物５０は、引掛シーリングキャップを形成するもの１０と第１内筒５１とからなり、実施例１の第１一体成形物５０と同一のものであるので、詳細説明は省略する。
外筒３０は、内穴３１を設け、前部を第１一体成形物５０の第１内筒５１に外嵌してねじ３１１により取りはずし可能に固着できるようにすると共に、後部を後記第２一体成形物６０（２）の第２内筒６１（２）に外嵌してねじ３１２により取りはずし可能に固着している。
第２一体成形物６０（２）は、第２内筒６１（２）と蓋状物６２（２）とからなり、第２内筒６１（２）は、コード通し内穴６１１（２）を設けると共に、蓋状物６２（２）に結合している。
蓋状物６２（２）は、肉盛りされて、後記引掛シーリング２０（２）の１対のねじ挿入孔２３（２）に挿入されるねじ６２１（２）が螺着できるねじ孔６２０（２）とコード通し穴６３０（２）を設けている。６３（２）は、Ｙ−Ｙ切断線からみた底面で、引掛シーリング２０（２）の上面の開口部２１（２）をねじ孔６２０（２）とコード通し穴６３０（２）を除いて閉口できるように形成されている。
引掛シーリング２０（２）は、公知の市販品で、上面の開口部２１（２）に、１対のコード挿入部（図示しない）と１対のねじ挿入孔２３（２）を設け、底面２２（２）に、図２−４に示すように、各ねじ６２１（２）を挿入する１対のねじ挿入孔２３（２）と１対の引掛穴２５（２）とを設けている。
引掛シーリングキャップを形成するもの１０から引掛シーリング２０（２）まで電気接続するコードは、引掛シーリングキャップを形成するもの１０から、底壁１２のコード通し穴１３、第１内筒５１の内穴５１１、外筒３０の内穴３１、第２内筒６１（２）の内穴６１１（２）、及び、蓋状物６２（２）のコード通し穴６３０（２）を介して電気接続される。
従って、本発明器具は、第１一体成形物５０、外筒３０、第２一体成形物６０（２）、引掛シーリング２０（２）、コードとから連結物２が形成されるので、床上に立って、連結物２の下端を手で握って上げ、天井配線器具７０の１対の引掛穴に、連結物２の上端の１対の引掛爪１０１を引掛けたのち、連結物２の下端に、天井直付け用のシーリングライト９０を引掛けることにより、天井直付け用のシーリングライト９０を天井吊り下げのペンダントライトとして使用でき、押し片１５を手押しすることにより、連結物２の上端の引掛爪１０１を天井配線器具７０から取りはずすことができる。
【実施例３】
【００１１】
本発明器具の実施例３が図３−１、図３−２、図３−３及び図３−４に示される。
各図では、公知の配線の図示が省略されている。
図３−１乃至図３−４の本発明器具は、引掛シーリングキャップを形成するもの１０と前記引掛シーリングキャップを形成するもの１０の底壁１２に結合した第１内筒５１とからなる第１一体成形物５０と、第１一体成形物５０の第１内筒５１に外嵌してねじ３１１により止着した外筒３０と、外筒３０の下部に内接してねじ３１２により止着する第２内筒６１（３）と第２内筒６１（３）下端に結合した蓋状物６２（３）とからなる第２一体成形物６０（３）と、蓋状物６２（３）の下端にねじ６２１（３）により固着した引掛シーリング２０（２）と、引掛シーリングキャップを形成するもの１０から引掛シーリング２０（２）まで電気接続するコード（図示しない）とを備えている。
引掛シーリングキャップを形成するもの１０は、実施例１の引掛シーリングキャップを形成するもの１０と同一のものであるので、詳細説明は省略する。
第１一体成形物５０は、引掛シーリングキャップを形成するもの１０と第１内筒５１とからなり、実施例１の第１一体成形物５０と同一のものであるので、詳細説明は省略する。
外筒３０は、内穴３１を設け、前部を第１一体成形物５０の第１内筒５１に外嵌してねじ３１１により取りはずし可能に固着できるようにすると共に、後部を後記第２一体成形物６０（３）の第２内筒６１（３）に外嵌してねじ３１２により取りはずし可能に固着している。
第２一体成形物６０（３）は、第２内筒６１（３）と蓋状物６２（３）とからなり、第２内筒６１（３）は、コード通し内穴６１１（３）を設けると共に、蓋状物６２（３）に結合している。
蓋状物６２（３）は、丸形の引掛シーリング２０（２）の開口部に合致した下面を設けたフランジ状のものからなり、引掛シーリング２０（２）の１対のねじ挿入孔２３（２）に挿入されるねじ６２１（３）がナット６２２１（３）を介して螺着できるねじ孔６２０（３）とコード通し穴６３０（３）を設けている。６３（３）は、Ｚ−Ｚ切断線からみた底面で、引掛シーリング２０（２）の上面の開口部２１（２）をねじ孔６２０（３）及びコード通し穴６３０（３）を除いて閉口できるように形成されている。
引掛シーリング２０（２）は、実施例２の引掛シーリング２０（２）と同一のものであるので、詳細説明は省略する。
引掛シーリングキャップを形成するもの１０から引掛シーリング２０（２）まで電気接続するコードは、引掛シーリングキャップを形成するもの１０から、底壁１２のコード通し穴１３、第１内筒５１の内穴５１１、外筒３０の内穴３１、第２内筒６１（３）の内穴６１１（３）、及び、蓋状物６２（３）のコード通し穴６３０（３）を介して電気接続される。
従って、本発明器具は、第１一体成形物５０、外筒３０、第２一体成形物６０（３）、引掛シーリング２０（２）、コードとから連結物３が形成されるので、床上に立って、連結物３の下端を手で握って上げ、天井配線器具７０の１対の引掛穴に、連結物３の上端の１対の引掛爪１０１を引掛けたのち、連結物３の下端に、天井直付け用のシーリングライト９０を引掛けることにより、天井直付け用のシーリングライト９０を天井吊り下げのペンダントライトとして使用でき、押し片１５を手押しすることにより、連結物２の上端の引掛爪１０１を天井配線器具７０から取りはずすことができる。
【産業上の利用可能性】
【００１２】
本発明器具は、構造簡単、小型軽量、製作容易で安価に量産できる。
【符号の説明】
【００１３】
１                          連結物
２                          連結物
３                          連結物
１０                        引掛シーリングキャップを形成するもの
１０１                      引掛爪
１１１、１１２、１１３、１１４    側壁
１２                        底壁
１３                        コード通し穴
１４                        ロック棒
１５                        押し片
２０、２０（２）            引掛シーリング
２１、２１（２）            開口部
２３、２３（２）            ねじ挿入孔
３０                        外筒
３１                        内穴
３１１、３１２              ねじ
５０                        第１一体成形物
５１                        第１内筒
５１１                      コード通し内穴
６０、６０（２）、６０（３）    第２一体成形物
６１、６１（２）、６１（３）    第２内筒
６１１、６１１（２）、６１１（３）    コード通し内穴
６２、６２（２）、６２（３）    蓋状物
６２０、６２０（２）、６２０（３）    ねじ孔部
６２１、６２１（２）、６２１（３）    ねじ
６３、６３（２）、６３（３）    底面
６３０、６３０（２）、６３０（３）    コード通し穴
７０                            天井配線器具
９０                            天井直付け用のシーリングライト
【要約】
【課題】天井直付けシーリングライトを、そのまま、天井吊り下げペンダントライトに使用できる簡単な器具を提供する。
【解決手段】ロック付ロック解除押し片付きの引掛シーリングキャップを形成するもの１０と第１内筒５１とからなる第１一体成形物５０と、第１内筒５１を外嵌して固着する外筒３０と、外筒３０の下部に内嵌して固着する第２内筒６１と蓋状物６２とからなる第２一体成形物６０と、蓋状物６２と固着した引掛シーリング２０と、引掛シーリングキャップを形成するもの１０から引掛シーリング２０まで配線したコードとを備えた器具の下端を手で握って、床上に立って、器具を持ち上げて天井配線器具に引掛けたのち、下端に市販の天井直付け用のシーリングライト９０を引掛けて、天井吊り下げ用ペンダントライトとして明るく節電して使用できるようにするもの。
【選択図】        図１−５【図１−１】
0005736628.tif 000002
【図１−２】
0005736628.tif 000003
【図１−３】
0005736628.tif 000004
【図１−４】
0005736628.tif 000005
【図１−５】
0005736628.tif 000006
【図２−１】
0005736628.tif 000007
【図２−２】
0005736628.tif 000008
【図２−３】
0005736628.tif 000009
【図２−４】
0005736628.tif 000010
【図３−１】
0005736628.tif 000011
【図３−２】
0005736628.tif 000012
【図３−３】
0005736628.tif 000013
【図３−４】
0005736628.tif 000014